(57)【要約】【課題】潜像部と背景部が一様に見えて体裁が良く、且つ潜像部による偽造防止効果を奏する印刷物を提供する。【解決手段】印刷物は、略平行な複数の画線１１１を所定の間隔Dで配列して構成される背景部１１と、略平行な複数の画線１２１を背景部１１の画線１１１の長さ方向に沿って所定の間隔DLで配置してなる列１２０を、背景部１１の画線１１１の配列方向に沿って所定の間隔DHで複数配列して構成される潜像部１２と、を有する。印刷物では、背景部１１の画線１１１の面積率Abを、画線１１１の太さW1及び間隔Dを用いてW1/Dとし、潜像部１２の画線１２１の面積率Alを、画線１２１の太さW2、画線１２１の長さH、列１２０の間隔DH、及び列１２０における画線１２１の間隔DLを用いて(W2・H)/(DH・DL)としたときに、潜像部１２の画線１２１の面積率Alを背景部１１の画線１１１の面積率Abで割った値Rが、1.11程度以上且つ1.33程度以下となる。【選択図】図２
2017217802.tif 000002
【特許請求の範囲】
【請求項１】
略平行な複数の画線を所定の間隔で配列して構成される背景部と、
略平行な複数の画線を前記背景部の画線の長さ方向に沿って所定の間隔で配置してなる列を、前記背景部の画線の配列方向に沿って所定の間隔で複数配列して構成される潜像部と、
を有し、
背景部の画線の面積率Abを、当該画線の太さW1、及び当該画線の間隔Dを用いてW1/Dとし、
潜像部の画線の面積率Alを、当該画線の太さW2、当該画線の長さH、前記列の間隔DH、及び前記列における当該画線の間隔DLを用いて(W2・H)/(DH・DL)としたときに、
潜像部の画線の面積率Alを背景部の画線の面積率Abで割った値Rが、1.11程度以上且つ1.33程度以下となることを特徴とする印刷物。
【請求項２】
背景部の画線の面積率Ab、及び潜像部の画線の面積率Alは25.0%程度以下であることを特徴とする請求項１記載の印刷物。
【請求項３】
背景部の画線の面積率Abは11.4%程度以上且つ20.0%程度以下であり、
潜像部の画線の面積率Alは14.3%程度以上且つ23.8%程度以下であることを特徴とする請求項２記載の印刷物。
【請求項４】
前記潜像部の画線は前記背景部の画線と平面において略直交し、
前記潜像部の前記列は、前記背景部の画線の延長上に沿って形成されることを特徴とする請求項１から請求項３のいずれかに記載の印刷物。
【発明の詳細な説明】
【技術分野】
【０００１】
本発明は、偽造防止技術を施した印刷物に関する。
【背景技術】
【０００２】
印刷物の偽造防止技術として、印刷物を目視しても判別できないが、その複写物では判別可能に現れるような潜像を印刷物に予め形成しておくことが知られている。
【０００３】
例えば特許第5692663号では、複写時に再現されない所定形状の画線による潜像部を、別の画線による背景部とともに印刷物に形成しておくことで、印刷物を複写した場合に、複写物において潜像部が背景部より薄く現れることが記載されている。このように潜像部が判別可能に現れることで、それが複写物であることがわかり、複写が牽制されて偽造防止効果を奏するようになる。
【先行技術文献】
【特許文献】
【０００４】
【特許文献１】特許第5692663号
【発明の概要】
【発明が解決しようとする課題】
【０００５】
このような印刷物については、複写物において潜像部が判別可能となることが重要であるが、体裁の良さを考慮すれば、印刷物において背景部と潜像部が一様に見えて目視で判別できないことも重要である。
【０００６】
この点に関し本発明者が鋭意検討したところ、通常考えられるように背景部と潜像部の画線の面積率を同じとした場合よりも、これらの面積率が同じではない所定の条件となる場合のほうが印刷物において背景部と潜像部が判別しにくく、より好ましい印刷物となるという知見が得られた。
【０００７】
本発明は上記の点を鑑みてなされたものであり、潜像部と背景部が一様に見えて体裁が良く、且つ潜像部による偽造防止効果を奏する印刷物を提供することを目的とする。
【課題を解決するための手段】
【０００８】
前述した課題を解決するための本発明は、略平行な複数の画線を所定の間隔で配列して構成される背景部と、略平行な複数の画線を前記背景部の画線の長さ方向に沿って所定の間隔で配置してなる列を、前記背景部の画線の配列方向に沿って所定の間隔で複数配列して構成される潜像部と、を有し、背景部の画線の面積率Abを、当該画線の太さW1、及び当該画線の間隔Dを用いてW1/Dとし、潜像部の画線の面積率Alを、当該画線の太さW2、当該画線の長さH、前記列の間隔DH、及び前記列における当該画線の間隔DLを用いて(W2・H)/(DH・DL)としたときに、潜像部の画線の面積率Alを背景部の画線の面積率Abで割った値Rが、1.11程度以上且つ1.33程度以下となることを特徴とする印刷物である。
【０００９】
背景部の画線の面積率Ab、及び潜像部の画線の面積率Alは25.0%程度以下であることが望ましい。具体的には、例えば背景部の画線の面積率Abは11.4%程度以上且つ20.0%程度以下であり、潜像部の画線の面積率Alは14.3%程度以上且つ23.8%程度以下である。
また、前記潜像部の画線は前記背景部の画線と平面において略直交し、前記潜像部の前記列は、前記背景部の画線の延長上に沿って形成されることが望ましい。
【００１０】
本発明では、上記した潜像部の画線の面積率Alと背景部の画線の面積率Abの比の値R(=Al/Ab)を1.11程度以上且つ1.33程度以下とし、潜像部の画線の面積率を背景部よりも若干高い値とすることにより、印刷物において背景部と潜像部の差をより判別しにくくすることができる。また当該印刷物を複写した複写物では潜像部を判別可能とすることができ、偽造防止効果を奏し、体裁の良い好適な印刷物を得ることができる。さらに、背景部と潜像部を画線で形成することで、製版もし易い。
【００１１】
また、背景部の画線の面積率Ab、及び潜像部の画線の面積率Alを25.0%程度以下、より具体的には例えば背景部の画線の面積率Abを11.4%程度以上且つ20.0%程度以下とし、潜像部の画線の面積率Alを14.3%程度以上且つ23.8%程度以下とすることで、商品券や金券などの印刷絵柄の見えに影響しないように背景部や潜像部を設け、且つ前記の効果を奏する印刷物を得ることができる。
【００１２】
さらに、潜像部の画線を背景部の画線と平面において略直交させ、潜像部の画線の列を背景部の画線の延長上に沿って形成することにより、印刷物において背景部と潜像部が判別しにくく、複写物において潜像部が判別可能となる好適な印刷物を得るのに寄与する。
【発明の効果】
【００１３】
本発明により、潜像部と背景部が一様に見えて体裁が良く、且つ潜像部による偽造防止効果を奏する印刷物を提供することができる。
【図面の簡単な説明】
【００１４】
【図１】印刷物１とその複写物１’を示す図。
【図２】背景部１１と潜像部１２を示す図。
【図３】印刷物Ａ〜Ｎについて、背景部１１の画線１１１の太さW1、潜像部１２の画線１２１の長さH、潜像部１２の画線１２１の面積率Alと背景部１１の画線１１１の面積率Abの比の値R(=Al/Ab)等を示す図。
【図４】OCR用紙に印刷を行った印刷物Ｃ〜Ｎを示す図。
【図５】コート紙に印刷を行った印刷物Ｃ〜Ｎを示す図。
【図６】上質紙に印刷を行った印刷物Ｃ〜Ｎを示す図。
【図７】富士ゼロックス株式会社製のApeosPort-VC7780（複写機I）によって複写を行った印刷物Ｃ〜Ｎの複写物を示す図。
【図８】キヤノン株式会社製のiR ADV 5255（複写機II）によって複写を行った印刷物Ｃ〜Ｎの複写物を示す図。
【図９】キヤノン株式会社製のiR ADV 7065（複写機III）によって複写を行った印刷物Ｃ〜Ｎの複写物を示す図。
【発明を実施するための形態】
【００１５】
以下、図面に基づいて本発明の好適な実施形態について詳細に説明する。
【００１６】
（１．印刷物１）
図１（ａ）は本発明の実施形態に係る印刷物１の概略を示す図である。この印刷物１は潜像部１２による偽造防止技術を施したものであり、潜像部１２と、潜像部１２の周囲の部分である背景部１１を有する。潜像部１２とは、印刷物１においては背景部１１と一様に見えて判別がつかないが、複写時に初めて背景部１１と判別可能に現れる領域をいうものとする。図１（ａ）では説明の都合上、潜像部１２を点線で示している。
【００１７】
印刷物１を複写すると、図１（ｂ）に示すように、複写物１’において潜像部１２が背景部１１よりも低い濃度となる。このように複写物１’において潜像部１２が薄くなり判別可能に現れることにより、それが複写物１’（偽物）であることがわかり、以て複写が牽制されて偽造防止効果を奏する。
【００１８】
印刷物１は特に限定されず、金券、商品券、チケットその他の印刷物とすることができる。図示は省略しているが、印刷物１には金券、商品券、チケット等に応じた印刷絵柄も形成される。
【００１９】
（２．背景部１１と潜像部１２）
図２は、印刷物１における背景部１１と潜像部１２を拡大して示す図である。
【００２０】
図に示すように、背景部１１は、略平行な複数の画線１１１を所定の間隔Dで等間隔に配列して万線状に構成される。背景部１１では、画線１１１の太さW1や間隔Dなどが一定値以上の十分な大きさである等の要因により、複写機で画線１１１が再現可能となっている。
【００２１】
なお、背景部１１の各画線１１１の太さW1は同じである。画線１１１の太さW1は画線１１１の短辺方向の幅を指し、当該短辺方向と平面において略直交する画線１１１の長辺方向は画線１１１の長さ方向というものとする。また、画線１１１の間隔Dは画線１１１の中心線同士の間隔とする。これらは潜像部１２の画線１２１についても同様である。
【００２２】
潜像部１２は、略平行な複数の画線１２１を背景部１１の画線１１１の長さ方向に沿って所定の間隔DLで等間隔に配置して列１２０を形成するとともに、この列１２０を、背景部１１の画線１１１の配列方向に沿って所定の間隔DHで等間隔に複数配列して構成される。背景部１１の画線１１１の配列方向とは、画線１１１の長さ方向と平面において略直交する方向である。
【００２３】
潜像部１２の画線１２１は背景部１１の画線１１１と平面において略直交し、潜像部１２の画線１２１の列１２０は、背景部１１の画線１１１の延長上に沿って形成される。潜像部１２の画線１２１は、その間隔DLなどが所定値未満であり複写機のスキャナやプリンタの解像性能を超える等の要因により、複写機で完全に再現することが不可能となっている。
【００２４】
なお、潜像部１２の各画線１２１の太さW2や長さHは同じであり、画線１２１は画線１１１と同色のインキにより形成される。また、潜像部１２における列１２０の間隔DHは、各列１２０の画線１２１の長さ方向の中心部同士の間隔である。当該中心部は背景部１１の画線１１１の中心線の延長上にあり、従って間隔DHは画線１１１の間隔Dと同じ値となる。
【００２５】
本実施形態では、背景部１１の画線１１１の面積率Abを、画線１１１の太さW1及び間隔Dを用いてW1/Dとし、潜像部１２の画線１２１の面積率Alを、画線１２１の太さW2、画線１２１の長さH、列１２０の間隔DH、及び列１２０における画線１２１の間隔DLを用いて(W2・H)/(DH・DL)としたときに、潜像部１２の画線１２１の面積率Alを背景部１１の画線１１１の面積率Abで割った比の値R(=Al/Ab)が、1.11程度以上且つ1.33程度以下となっている。
【００２６】
さらに、本実施形態では、背景部１１の画線１１１の面積率Ab、及び潜像部１２の画線１２１の面積率Alを25.0%程度以下とし、商品券や金券などの印刷絵柄の見えに影響しないようにする。
【００２７】
詳細は後述するが、本実施形態の印刷物１では、このように潜像部１２の画線１２１の面積率Alと背景部１１の画線１１１の面積率Abの比の値R(=Al/Ab)を1.11程度以上且つ1.33程度以下とし、潜像部１２の画線１２１の面積率Alを背景部１１よりも若干高い値とすることにより、印刷物１において背景部１１と潜像部１２の差をより判別しにくくすることができる。また印刷物１を複写した複写物１’では潜像部１２を判別可能とすることができ、偽造防止効果を奏し、体裁も良い好適な印刷物１を得ることができる。さらに、背景部１１と潜像部１２を画線１１１、１２１で形成することで、製版もし易い。
【００２８】
また、本実施形態では、背景部１１の画線１１１の面積率Ab、及び潜像部１２の画線１２１の面積率Alを25.0%程度以下とし、商品券や金券などの印刷絵柄の見えに影響しないように背景部１１や潜像部１２を薄く設けることができる。より具体的には、後述するように例えば背景部１１の画線１１１の面積率Abを11.4%程度以上且つ20.0%程度以下とし、潜像部１２の画線１２１の面積率Alを14.3%程度以上且つ23.8%程度以下とすることで、印刷絵柄の見えに影響しないように背景部１１や潜像部１２を設け、且つ前記の効果を奏する印刷物１を得ることができる。ただし、面積率Ab、Alの範囲はこれに限ることはなく、面積率Ab、Alが別の範囲であっても、面積率Alを面積率Abで割った比の値Rが1.11程度以上且つ1.33程度以下であれば、前記の効果を奏することができる。
【００２９】
さらに、本実施形態では、潜像部１２の画線１２１を背景部１１の画線１１１と平面において略直交させ、潜像部１２の画線１２１の列１２０を背景部１１の画線１１１の延長上に沿って形成することにより、印刷物１において背景部１１と潜像部１２の差が判別しにくく、複写物１’において潜像部１２が判別可能となる好適な印刷物１を得るのに寄与する。しかしながら、画線１１１、１２１の配置等がこれに限られることもない。
【実施例】
【００３０】
次に、本発明に係る印刷物を実施例によって具体的に説明する。ただし、本発明はこれに限定されるものではない。
【００３１】
[印刷物]
本発明に係る印刷物１の実施例として、前記した背景部１１の画線１１１の太さW1と潜像部１２の画線１２１の長さHを調整し、潜像部１２の画線１２１の面積率Alを背景部１１の画線１１１の面積率Abで割った比の値R(=Al/Ab)を1.11程度以上且つ1.33程度以下とした印刷物Ｃ、Ｈ、Ｉ、Ｎを作製した。
【００３２】
また、背景部１１の画線１１１の面積率Ab、及び潜像部１２の画線１２１の面積率Alはいずれの印刷物Ｃ、Ｈ、Ｉ、Ｎにおいても25.0%程度以下とした。具体的には、印刷物Ｃ、Ｈ、Ｉ、Ｎにおいて、背景部１１の画線１１１の面積率Abは11.4%程度以上且つ20.0%程度以下とし、潜像部１２の画線１２１の面積率Alは14.3%程度以上且つ23.8%程度以下とした。
【００３３】
また、参考例として、背景部１１の画線１１１の太さW1と潜像部１２の画線１２１の長さHを調整し、前記した比の値Rを1.11程度以上且つ1.33程度以下の範囲とは異ならせた印刷物Ａ、Ｂ、Ｄ、Ｅ、Ｆ、Ｇ、Ｊ、Ｋ、Ｌ、Ｍを作製した。
【００３４】
なお、背景部１１の画線１１１の間隔D、潜像部１２の画線１２１の太さW2、列１２０の間隔DH、及び列１２０における画線１２１の間隔DLは印刷物Ａ〜Ｎで共通とし、潜像部１２としては「コピー」の文字を形成した。
【００３５】
以上の印刷物Ａ〜Ｎについて、背景部１１の画線１１１の太さW1と間隔D、潜像部１２の画線１２１の太さW2と長さH、列１２０の間隔DH、列１２０における画線１２１の間隔DL（以上、単位は全てmm）、潜像部１２の画線１２１の面積率Al、背景部１１の画線１１１の面積率Ab、及びその比の値R(=Al/Ab)を示したものが図３である。
【００３６】
ここでは、背景部１１の画線１１１の太さW1を４段階(0.04、0.05、0.06、0.07mm)に変化させるとともに、潜像部１２の画線１２１の長さHを４段階(0.10、0.15、0.20、0.25mm)に変化させて前記した比の値R(=Al/Ab)が異なる１４枚の印刷物Ａ〜Ｎを作製しており、図３では背景部１１の画線１１１の太さW1と潜像部１２の画線１２１の長さHごとに、対応する印刷物Ａ〜Ｎについて潜像部１２の画線１２１の面積率Al、背景部１１の画線１１１の面積率Ab、及びその比の値R(=Al/Ab)を示している。
【００３７】
背景部１１の画線１１１の間隔D、潜像部１２の画線１２１の太さW2、列１２０の間隔DH、及び列１２０における画線１２１の間隔DLは印刷物Ａ〜Ｎで同じであり、D=0.35mm、W2=0.05mm、DH=0.35mm、DL=0.15mmである。
【００３８】
［印刷物における背景部１１と潜像部１２の判別しにくさ］
図４、５、６はそれぞれOCR用紙、コート紙、上質紙に印刷物Ｃ〜Ｎの印刷を行った例であり、横軸を背景部１１の画線１１１の太さW1=0.04、0.05、0.06、0.07(mm)、縦軸を潜像部１２の画線１２１の長さH=0.15、0.20、0.25(mm)として、対応する位置に印刷物Ｃ〜Ｎを示したものである。
【００３９】
本発明者がこれらの印刷物Ｃ〜Ｎを実際に目視したところ、前記したRの値が1.11程度以上且つ1.33程度以下の範囲となる印刷物Ｃ、Ｈ、Ｉ、Ｎの方が、Rの値が当該範囲以外の値となる印刷物Ｄ、Ｅ、Ｆ、Ｇ、Ｊ、Ｋ、Ｌ、Ｍよりも、潜像部１２の「コピー」の文字が背景部１１と判別しにくいという結果であった。なお、図４〜６では印刷物Ａ、Ｂについて図示を省略しているが、印刷物Ｄ、Ｅ、Ｆ、Ｇ、Ｊ、Ｋ、Ｌ、Ｍと同様の傾向であった。
【００４０】
このうち印刷物Ｄは背景部１１の画線１１１の面積率Abと潜像部１２の画線１２１の面積率Alが等しく、Rの値が1.00となるが、このような印刷物Ｄよりも、潜像部１２の画線１２１の面積率Alが背景部１１より若干高い印刷物Ｃ、Ｈ、Ｉ、Ｎの方が、潜像部１２の「コピー」の文字をより判別しにくかった。
【００４１】
［複写物における潜像部１２の判別可能性］
次に、各印刷物Ａ〜ＮについてOCR用紙にカラー複写を行い、複写物における潜像部１２の判別可能性の検討を行った。複写には、富士ゼロックス株式会社製のApeosPort-VC7780、キヤノン株式会社製のiR ADV 5255及びiR ADV 7065の３種類の複写機を用いた。
【００４２】
図７、８、９はそれぞれ、富士ゼロックス株式会社製のApeosPort-VC7780（複写機I）、キヤノン株式会社製のiR ADV 5255（複写機II）及びiR ADV 7065（複写機III）によって印刷物Ｃ〜Ｎの複写を行ったものであり、横軸を背景部１１の画線１１１の太さW1=0.04、0.05、0.06、0.07(mm)、縦軸を潜像部１２の画線１２１の長さH=0.15、0.20、0.25(mm)として、対応する位置に印刷物Ｃ〜Ｎの複写物を示したものである。
【００４３】
本発明者がこれらの印刷物Ｃ〜Ｎの複写物を実際に目視したところ、程度の差はあるものの、印刷物Ｃ、Ｈ、Ｉ、Ｎの複写物を含め、各印刷物の複写物において潜像部１２の「コピー」の文字を判別できた。なお、図７〜９では印刷物Ａ、Ｂの複写物について図示を省略しているが、「コピー」の文字は同様に判別できた。OCR用紙をコート紙や上質紙に代えた場合も同様の結果であった。
【００４４】
以上より、潜像部１２の画線１２１の面積率Alを背景部１１の画線１１１の面積率Abで割った比の値Rが1.11程度以上且つ1.33程度以下となる印刷物Ｃ、Ｈ、Ｉ、Ｎは、背景部１１と潜像部１２が一様に見えてより判別しにくく、且つその複写物では潜像部１２が判別可能であり、偽造防止効果を奏し、体裁の良い好適な印刷物となることが確認できた。
【００４５】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００４６】
１；印刷物
１１；背景部
１２；潜像部
１１１、１２１；画線
１２０；列
【図１】
2017217802.tif 000003
【図２】
2017217802.tif 000004
【図３】
2017217802.tif 000005
【図４】
2017217802.tif 000006
【図５】
2017217802.tif 000007
【図６】
2017217802.tif 000008
【図７】
2017217802.tif 000009
【図８】
2017217802.tif 000010
【図９】
2017217802.tif 000011